(57)【特許請求の範囲】
【請求項１】
扉の壁面に固定され得る縦長状の取付けベース板と、この縦長状取付けベース板に形成された凹所に固定的に嵌着する蓋体と、この蓋体の内壁面と前記縦長状取付けベース板の内壁面が結合した内部に固定的に内装された読み書き装置とから成る錠前用台座であって、前記読み書き装置は、開口部を有する穴あきアンテナ基板と、この穴あきアンテナ基板とは別個に成形され、かつ、一側上面に電子部品を実装した装置本体基板とから成り、前記穴あきアンテナ基板は、前記蓋体の内壁面に形成された複数の第１係止リブに係着され、一方、前記装置本体基板は、前記穴あきアンテナ基板に対して略面一状態あるいは積層状態、あるいはまた並列状態になるように前記蓋体の内壁面に形成され、かつ前記開口部に入り込む第２係止リブに係着されていることを特徴とする錠前用台座。
【請求項２】
請求項１に於いて、蓋体は、比較的底の浅いケース状に形成され、しかも、該蓋体の内壁面にそれぞれ対向状態に配設された読み書き装置と共に、縦長状取付けベース板に対してアンテナ蓋体を構成していることを特徴とする錠前用台座。
【請求項３】
請求項１に於いて、第１係止リブ又は第２係止リブの少なくともそれぞれ一方が、可撓性を有することを特徴とする錠前用台座。
【請求項４】
請求項１に於いて、開口部は、装置本体基板の上面から突出する電子部品の一部又は全部が入り込む大きさに形成されていることを特徴とする錠前用台座。
【請求項５】
扉の壁面に固定され得る縦長状の取付けベース板と、この縦長状取付けベース板に形成された凹所に固定的に嵌着する蓋体と、この蓋体の内壁面と前記縦長状取付けベース板の内壁面が結合した内部に固定的に内装された読み書き装置とから成る錠前用台座であって、前記読み書き装置は、開口部を有する穴あきアンテナ基板と、この穴あきアンテナ基板とは別個に成形され、かつ、一側上面に電子部品を実装した装置本体基板とから成り、前記穴あきアンテナ基板は、前記蓋体の内壁面に形成された複数の第１係止リブに係着され、一方、前記装置本体基板は、前記穴あきアンテナ基板に対して積層状態、あるいは並列状態になるように前記蓋体の内壁面に形成され、かつ前記第１係止リブよりも突出する第２係止リブに係着されていることを特徴とする錠前用台座。
【発明の詳細な説明】
【技術分野】
【０００１】
本発明は、錠前用台座に関し、特に、通信機能を有する錠前用台座に関する。
【背景技術】
【０００２】
特許文献１には、情報送信手段（例えば非接触ＩＣカード）から送信された信号をキャッチすることができる「基板型の読み書き装置」が記載されている。この読み書き装置は、例えば信号を送受信する読み書き装置本体、アンテナを有するアンテナ基板、電源装置、電子表示部、振動装置等を有している。そして、前記アンテナ基板は、アンテナ、共振回路、読み書き装置本体と接続する接続端子を有している。
【０００３】
従来、このような基板型の読み書き装置を錠前用台座内に組み込む場合、普通一般に、読み書き装置を構成する基板の両端部の中央部に取付け孔を形成し、一方、台座を構成する取付けベース板内に所定間隔を有して相対向する上下一対の固着具用のＬ型支持片を設け、このＬ型支持片の突片部分の貫通小孔と前記読み書き装置の基板両端部の取付け孔とを合わせながら、前記固着具でもって、読み書き装置の基板を、Ｌ型支持片を介して取付けベース板内に固着していた。
【０００４】
従来の錠前用台座の組付け方法の問題点は、次のとおりである。すなわち、（ａ）第１に、読み書き装置を構成する部品点数が多いので、該読み書き装置を内装した台座が、外観上、部厚いものとなってしまう。付言すると、錠前用の縦長状台座の外観の厚さのバランスが悪いという印象を、一般の需要者に与える。（ｂ）第２に、複数個の固着具を用いるので、台座に対する基板のセットが容易でない。特に、読み書き装置を、部品の製造の効率性、部品交換の容易性等の観点から、例えば穴あきアンテナ基板と、電子部品を実装した装置本体基板に二分割した場合には、構成する部品点数が増えるので、台座に対する組み込み時間が多くなる。（ｃ）普通一般に、読み書き装置を構成するアンテナ基板のアンテナは、導電性材料をスパイラル状に周回させたアンテナコイルを用いているので、アンテナ基板の両端部に複数個の取付け孔を形成すると、アンテナ基板の外形寸法やデザイン上の制約を受ける。
【先行技術文献】
【特許文献】
【０００５】
【特許文献１】特開２００８−２８８８４５号公報
【発明の概要】
【発明が解決しようとする課題】
【０００６】
本発明の所期の目的は、従来の（ａ）の問題点を改善し、取付けベース板の裏側から蓋体の外壁面までの厚さ（台座の厚さ）を極力薄くすることができることである。本発明の第２の目的は、基板を構成する部品点数が増えても、短時間でかつ容易に台座にセットすることができることである。
【課題を解決するための手段】
【０００７】
本発明の錠前用台座は、扉の壁面に固定され得る縦長状の取付けベース板と、この縦長状取付けベース板に形成された凹所に固定的に嵌着する蓋体と、この蓋体の内壁面と前記縦長状取付けベース板の内壁面が結合した内部に固定的に内装された読み書き装置とから成る錠前用台座であって、前記読み書き装置は、開口部を有する穴あきアンテナ基板と、この穴あきアンテナ基板とは別個に成形され、かつ、一側上面に電子部品を実装した装置本体基板とから成り、前記穴あきアンテナ基板は、前記蓋体の内壁面に形成された複数の第１係止リブに係着され、一方、前記装置本体基板は、前記穴あきアンテナ基板に対して略面一状態あるいは積層状態、あるいはまた並列状態になるように前記蓋体の内壁面に形成され、かつ、前記開口部に入り込む第２係止リブに略面一状態あるいは積層状態、あるいはまた並列状態に係着されていることを特徴とする。
【０００８】
上記構成に於いて、蓋体は、比較的底の浅いケース状に形成され、しかも、該蓋体の内壁面にそれぞれ対向状態に配設された読み書き装置と共に、縦長状取付けベース板に対してアンテナ蓋体を構成していることを特徴とする。また、第１係止リブ又は第２係止リブの少なくともそれぞれ一方が、可撓性を有することを特徴とする。さらに、開口部は、装置本体基板の上面から突出する電子部品の一部又は全部が入り込む大きさに形成されていることを特徴とする。
【０００９】
また、本発明の錠前用台座は、扉の壁面に固定され得る縦長状の取付けベース板と、この縦長状取付けベース板に形成された凹所に固定的に嵌着する蓋体と、この蓋体の内壁面と前記縦長状取付けベース板の内壁面が結合した内部に固定的に内装された読み書き装置とから成る錠前用台座であって、前記読み書き装置は、開口部を有する穴あきアンテナ基板と、この穴あきアンテナ基板とは別個に成形され、かつ、一側上面に電子部品を実装した装置本体基板とから成り、前記穴あきアンテナ基板は、前記蓋体の内壁面に形成された複数の第１係止リブに係着され、一方、前記装置本体基板は、前記穴あきアンテナ基板に対して積層状態、あるいは並列状態になるように前記蓋体の内壁面に形成され、かつ前記第１係止リブよりも突出する第２係止リブに係着されていることを特徴とする。
【００１０】
ここで、「装置本体基板」とは、例えばアンテナ以外の通信手段、振動手段、スイッチ、ＩＣ、電気回路等が適宜に設けられている穴あきアンテナ基板と別個に成形された基板のことをいう。
【発明の効果】
【００１１】
（１）蓋体を縦長状取付けベース板の一端部に形成された凹所に固定的に嵌着し、該蓋体の内壁面には、内外の複数個の係止リブ(第１係止リブ又は第２係止リブ)を介してニ分割された読み書き装置（穴あきアンテナ基板３１と装置本体基板４１）が、略面一状態あるいは積層状態、あるいはまた並列状態に係着されているので、該読み書き装置を内装した台座の一端部が、他端部に対して、外観上、部厚いものとなってしまうという欠点を、可能な限り改善することができる。付言すると、該読み書き装置を内装した台座の箇所を極力薄くすることができる。特に、蓋体の厚さを極力薄くすることができる。
（２）内外の複数個の係止リブ(第１係止リブ又は第２係止リブ)を用いたので、基板を構成する部品点数が増えても、短時間でかつ容易に台座にセットすることができる。また、アンテナ基板の外形寸法やデザイン上の制約を受けない。
【図面の簡単な説明】
【００１２】
図１乃至図１２は本発明の最良の実施例（第１実施例）を示す各説明図。図１３乃至図１５は本発明の最良の実施例（第２実施例）を示す各説明図。
【図１】錠前用台座Ｘの設置環境の一例を示す概略説明図（扉外壁側）。
【図２】錠前用台座Ｘの設置環境を示す概略説明図（扉の自由端部側）。
【図３】錠前用台座Ｘの一例を示す概略断面説明図（組み付け完了状態）。
【図４】各部材を組み合わせる前の錠前用台座Ｘの概略説明図。
【図５】アンテナ蓋体６の構成を示す分解斜視図
【図６】穴あきアンテナ基板３の正面図
【図７】穴あきアンテナ基板３の右側面図
【図８】装置本体基板４１の正面図
【図９】装置本体基板４１の右側面図
【図１０】装置本体基板４１を裏側から見た斜視図。
【図１１】装置本体基板４１の縦断面概略説明図。
【図１２】要部の概略説明図。
【図１３】第２実施例の錠前用台座Ｘ２を示す概略断面説明図（組み付け完了状態）。
【図１４】第２実施例のアンテナ蓋体６Ｂの各部材を組み合わせる前の錠前用台座の概略説明図。
【図１５】第２実施例のアンテナ蓋体６Ｂの構成を示す分解斜視図。
【発明を実施するための形態】
【００１３】
以下、図１乃至図１２に示す本発明を実施するための最良の形態により説明する。まず、図１及び図２は、錠前用台座Ｘの設置環境の一例を示す概略説明図である。図１及び図２に於いて、１は扉、１ａは扉外壁、２はカード式、或いは携帯型の情報送信手段、３は前記扉外壁１ａに垂直状態に固定され、かつ前記情報送信手段２から情報を受け取ることが可能な通信型の錠前用台座Ｘの取付けベース板、４は取付けベース板３の中央部に取付けられたレバー式操作ハンドル、そして、６は前記操作ハンドル４を基準として前記取付けベース板３の一端部（例えば上端部）側３ａに上下方向に、かつ該取付けベース板３の縦長凹所５に固定的に嵌着したアンテナ蓋体である。なお、符号７は錠前を構成するデッドボルト、８はラッチである。錠前用台座Ｘの細部的事項や錠前の具体的構成については割愛する。
【００１４】
次に、図３及び図４は、本実施例の錠前用台座Ｘの一例を示す。図３は、錠前用台座Ｘを構成する各部材を組み合わせた状態、一方、図４は、各部材を組み合わせる前の錠前用台座Ｘを示す。図３及び図４に於いて、前述したように、３は取付けベース板、３ａはその上端部側である。扉１の扉外壁１ａには、柱状固定具１０用の不番挿通孔が形成されている。したがって、取付けベース板３の縦長凹所５の内壁底面５ａにも前記固定具１０の挿入先端部が係合する貫通孔１１が形成されている。
【００１５】
また、扉１の扉外壁１ａには、リード線１２を通すための不番案内孔が形成されている。したがって、取付けベース板３の縦長凹所５の内壁底面５ａにも前記リード線１２を通すためのリード線用通孔１３が形成されている。取付けベース板３は、長尺状の板体で、扉１の図示しない扉内壁から柱状固定具１０を緩めることによって、該固定具１０と共に扉１の扉外壁１ａから取り外すことができる。付言すると、扉内壁から柱状の固定具１０を緩めると、錠前用台座Ｘそのものを扉外壁１ａから外すことができる。
【００１６】
さて、錠前用台座Ｘの基本的構成は、扉外壁１ａに垂直方向に固定され得る取付けベース板３と、この取付けベース板３の縦長凹所５をカバーするように該取付けベース板３の一端部側３ａに複数個の固着具１５、ベース板貫通孔１６、１６、後述の蓋体ネジ柱２３、２３を介して取り外し可能に嵌着するアンテナ蓋体６とから成り、前記アンテナ蓋体６は、内部空間２２が浅いケース状の蓋体２１と、この蓋体２１の内壁面２１ａに形成された複数個の係止リブ２４、２４、２５、２５(第１係止リブ又は第２係止リブ)を介して、前記内壁面２１ａに対して対向する穴あきアンテナ基板３１及び装置本体基板４１とから成る。
【００１７】
付言すると、本実施例の蓋体２１は、比較的底の浅いケース状に形成され、しかも、該蓋体２１の内壁面２１ａにそれぞれ対向状態に配設された読み書き装置（二分割された穴あきアンテナ基板３１及び装置本体基板４１）と共に、縦長状取付けベース板に対してアンテナ蓋体６を構成している。
【００１８】
しかして、組み付け前の図４を参照にすると、アンテナ蓋体６を構成する蓋体２１は、左右（設置状態では上下）の両端部の内側に、一対の蓋体ネジ柱２３、２３が、蓋体２１の周端２１ｂから若干突出するように形成されている。前記蓋体ネジ柱２３、２３は、本実施例では、短筒状螺合部（メネジ部）であり、この短筒状螺合部２３、２３の長さ、例えば蓋体２１の内壁面２１ａからの長さ、或いは蓋体２１の周端２１ｂからの突出量Ｌ１を短くすることによって、錠前用台座Ｘの厚さを薄くすることができる。本実施例では、説明の便宜上、取付けベース板３の縦長凹所５の内壁底面５ａと蓋体２１の複数個の係止リブ２４、２４、２５、２５の先端との間に間隙２６を設けているが、設計如何によっては、該間隙２６を設ける必要はない。
【００１９】
次に、図５は、アンテナ蓋体６の構成を示す分解斜視図、図６及び図７は穴あきアンテナ基板３１、図８及び図９は装置本体基板４１を示す。例えば図５で示すように、蓋体２１は、上下一対の短筒状螺合部２３、２３の直ぐ内側に、上下で一組の第１係止リブ（外側係止リブ）２４、２４を有している。
【００２０】
本実施例では、これらの第１係止リブ２４、２４は、蓋体２１の内壁面２１ａから突出するが、望ましくは、短筒状螺合部２３、２３の先端面よりも内側に位置するように突出している。第１係止リブ２４、２４は、その基端部に連設する突出先端部に、内側に若干に延びる爪部を有している。
【００２１】
そして、第１係止リブ２４、２４の少なくとも一方の爪部には傾斜面が形成され、また、少なくとも一方は、材質自体により弾性変位、弾性復帰可能である（可撓性を有する）。もちろん、第１係止リブ２４、２４の両方が、可撓性を有していても良い。
【００２２】
組み付け手段として、複数個の固着具ではなく、可撓性を有する第１係止リブ２４、２４に穴あきアンテナ基板３１を係着させることにより、穴あきアンテナ基板３１の取り付け（セット）が容易となり、また、穴あきアンテナ基板３１の外形そのものを大きくすることが可能となっている。
【００２３】
また、蓋体２１の適宜個所、例えば隅部には、ランプの点灯・点滅の状態を視認することができるように小透孔、小透明部分等の視覚用表示部２７が形成されている。その他、蓋体２１の適宜個所に切欠を形成し、或いは一部を透明にすることもできる。
【００２４】
本実施例では、穴あきアンテナ基板３１と装置本体基板４１は、それぞれ別個・独立に成形並びに組み付けされるので、一対の第１係止リブ２４、２４を基準として、これらの第１係止リブ２４、２４よりも内側に複数個（例えば２個）の第２係止リブ（内側係止リブ）２５、２５が対向状態に設けられている。第２係止リブ２５、２５も、第１係止リブ２４、２４と同様に蓋体２１の内壁面２１ａから突出するが、これらの第２係止リブ２５、２５は、前記内壁面２１ａの中央部寄りの部位に設けられている。第２係止リブ２５、２５は、第１係止リブ２４、２４よりも多少長いものの、第１係止リブ２４、２４と同様に短筒状螺合部２３、２３の先端面よりも内側に位置するように突出している。また、第１係止リブ２４、２４と同様に少なくとも一方は、材質自体により弾性変位、弾性復帰可能である（可撓性を有する）。もちろん、第２係止リブ２５、２５の両方が、可撓性を有していても良い。
【００２５】
同様に、組付け手段として、複数個の固着具ではなく、可撓性を有する第２係止リブ２５、２５に、リード線１２の基端部１２ａが接続した装置本体基板４１を係着させることにより、装置本体基板４１も穴あきアンテナ基板３１と同様に、その取り付け（セット）が容易となり、また、装置本体基板４１の適宜箇所に切欠状の被係合部を形成するとことにより、その外形が開口部３２よりも大きい装置本体基板４１をデザイン設計することができる。
【００２６】
次に、アンテナ蓋体６の構成する穴あきアンテナ基板３１について説明する。図５に穴あきアンテナ基板３１の斜視図を示す。また、図６及び図７は、穴あきアンテナ基板３１の正面図と右側面図である。
【００２７】
本実施例の穴あきアンテナ基板３１の特徴部分は、長板状の穴あきアンテナ基板３１の中央部に、その長手方向に比較的大きい開口部３２を形成した点、周端部の適宜個所、例えば隅角部の一つに突片３３を形成し、この突片３３に照明具（例えばＬＥＤ）３４を装着した点、さらに、開口部３２と周端部との間の環状部分３１ａに周回状態に設けられたアンテナ３５以外の余白部位に突起状の電源装置３６を設けた点である。
【００２８】
ところで、穴あきアンテナ基板３１は、図１で示した情報送信手段（例えば非接触ＩＣカード）から送信された信号をキャッチすることができる。周知のように、「基板型の読み書き装置」は、読み書き装置本体、信号を送受信するアンテナを有するアンテナ基板、電源装置、電子表示部、振動装置等を有している。
【００２９】
そして、前記アンテナ基板は、導電性材料をスパイラル状に周回させたアンテナコイル（アンテナ）、共振回路、読み書き装置本体と接続する接続端子を有している。したがって、細部的事項の説明は割愛するが、本実施例の穴あきアンテナ基板３１及び装置本体基板（読み書き装置本体）４１も、従来の基板型の読み書き装置と同様に、例えば半導体素子を搭載しかつ同じ通信機能を有している。
【００３０】
図８及び図９は、装置本体基板４１の正面図と右側面図である。また、図１１乃至図１２は、装置本体基板４１の裏面に設けられた接続端子１７とプラグ１８を有するリード線１２に関する各説明図である。
【００３１】
さて、装置本体基板４１の厚さはアンテナ蓋体６と略同じであるが、アンテナ蓋体６よりも小さい。矩形状の装置本体基板４１は、長手方向の両端部に切欠状の被係合部分４２、４２を有している。これらの被係合部分４２、４２に蓋体２１の第２係止リブ２５、２５が係合可能である。装置本体基板４１の両端部に切欠状の被係合部分４２、４２を形成することにより、該装置本体基板４１の外形形状を大きくすることができる。また、装置本体基板４１は、通信手段４３、振動手段４４等の電子部品や半導体素子を適宜に搭載している。
【００３２】
上記構成に於いて、まず、蓋体２１の内壁面２１ａに設けられた複数の第１係止リブ２４、２４に、開口部３２を有すると共に一側面にアンテナ３５を有する穴あきアンテナ基板３１を係着させる。この時、前記複数の第１係止リブ２４、２４の一方又は両方を撓ませることにより、各々相対する爪部に穴あきアンテナ基板３１を係止させることができる。穴あきアンテナ基板３１を第１係止リブ２４、２４に係着させると、穴あきアンテナ基板３１のアンテナ３５は、蓋体２１の内壁面２１ａに対して若干の間隙を有して対向し、又は間隙を有しないで内壁面２１ａに接触状態となる。
【００３３】
次に、蓋体２１の外側リブ２４、２４よりも内側の位置に設けられ、かつ穴あきアンテナ基板３１の開口部３２に入り込む複数の第２係止リブ２５、２５に、電子部品を実装した装置本体基板４１を、前記穴あきアンテナ基板３１と面一状あるいは積層状あるいはまた並列状になるように係着させる。この係着の場合も、前記複数の第２係止リブ２５、２５の一方又は両方を撓ませることにより、各々相対する爪部に装置本体基板４１を係止させることができる。
【００３４】
本実施例では、装置本体基板４１の電子部品４３、４４の一部又は全部が、穴あきアンテナ基板３１の開口部３２に入り込ように該穴あきアンテナ基板３１の外側側面に積層状に位置付けられる。その結果、一番突出量の大きい振動装置（例えばブザー）４４の上面が、蓋体２１の内壁面２１ａに接触状態となる。これにより、装置本体基板４１から発する振動が蓋体２１に効率的に伝播する。
【００３５】
次に、リード線１２の基端部１２ａのプラグ１８を装置本体基板４１の接続端子１７に差し込んだ後に、リード線１２を、リード線用通孔１３を介して取付けベース板３の外へと引き出す。然る後に、アンテナ蓋体６を取付けベース板３の一端部の凹所に嵌合し、複数個の固着具１５、１５を前記取付けベース板３の裏側から該ベース板貫通孔１６、１６を介して差込み、かつ、該固着具を前記短筒状螺合部に螺合させる。これにより、錠前用台座Ｘが出来上がる。
【００３６】
なお、本実施例では、リード線１２は装置本体基板４１に接続することを説明したが、穴あきアンテナ基板３１にも図示しないリード線が適宜に接続され、装置本体基板４１側のリード線１２並びに穴あきアンテナ基板３１の図示しないリード線は、最終的には、図示しない錠前制御システムの制御部と電気的に接続される。
【実施例】
【００３７】
発明の実施の形態で示した実施例に於いて、蓋体の外側リブよりも内側の位置に設けられ、かつ開口部に入り込む複数の第２係止リブに、電子部品を実装した装置本体基板を、穴あきアンテナ基板と面一状あるいは積層状あるいはまた並列状になるように係着させることができる。
【００３８】
また、穴あきアンテナ基板３１の開口部３２は、装置本体基板４１の上面から突出する電子部品の一部又は全部が入り込む大きさに形成されているが、もちろん、開口部３２の形状及び大きさは、任意に設計変更可能である。要は、複数個の第２係止リブ２５、２５が入り込む、又は嵌挿する切欠や開口であれば良い。
【００３９】
最後に、図１３乃至図１５を参照にして、第２実施例の錠前用台座Ｘ２を説明する。この第２実施例の錠前用台座Ｘ２は、アンテナ蓋体６Ｂが第１実施例のアンテナ蓋体６と異なる。その相違点を簡単に説明すると、第１実施例のアンテナ蓋体６の装置本体基板４１は、穴あきアンテナ基板３１の開口部３２に入り込む複数の第２係止リブ２５、２５に係止されるのに対して、第２実施例のアンテナ蓋体６Ｂの装置本体基板４１Ｂは、第１係止リブ２４と同様に蓋体２１Ｂの周壁部の内壁面付近に位置しかつ第１係止リブ２４よりも突出する第２係止リブ２５Ｂ、２５Ｂに係止される点、また、装置本体基板４１Ｂの縦又は横幅（本実施例では、横幅が若干広い）が異なる点である。
【００４０】
前記第２係止リブ２５Ｂ、２５Ｂは、上下の第１係止リブ２４、２４に対してそれぞれ併設しても良いが、この第２実施例では、前記上下の第１係止リブ２４、２４に直交するように蓋体２１Ｂの周壁部の左右中央部に対設している。
【００４１】
したがって、この第２実施例の錠前用台座Ｘ２の各構成部材の組付ける場合には、まず、蓋体２１Ｂの内壁面に設けられた複数の第１係止リブ２４、２４に、一側面にアンテナを有する穴あきアンテナ基板３１を係着させ、次に、蓋体２１Ｂの前記第１係止リブ２４、２４よりも突出するように該蓋体の内壁面に設けられた複数の第２係止リブ２５Ｂ、２５Ｂに、電子部品を実装した装置本体基板４１Ｂを、前記穴あきアンテナ基板３１と積層状あるいは並列状（面一状態は除く）になるように係着させ、このようにして出来上ったアンテナ蓋体６Ｂをリード線用の通孔１３を有する取付けベース板３に取外し可能に嵌着する。このように構成しても、台座を可能な限り薄くするという本発明の所期の目的を達成することができる。
【産業上の利用可能性】
【００４２】
本発明は、主に錠前や建具の業界で利用される。
【符号の説明】
【００４３】
Ｘ、Ｘ２…錠前用台座、１…扉、１ａ…扉外壁、２…情報送信手段、３…取付けベース板、４…操作ハンドル、５…縦長凹所、６、６Ｂ…アンテナ蓋体、１０…柱状固定具、１１…貫通孔、１２…リード線、１３…リード線用通孔、１５…固着具、１６…ベース板貫通孔、１７…接続端子、１８…プラグ、２１…蓋体、２１ａ…内壁面、２２…内部空間、２１、２１Ｂ…蓋体、２３…蓋体ネジ柱（短筒状螺合部）、２４…第１係止リブ、２５、２５Ｂ…第２係止リブ、３１…アンテナ基板、３２…開口部、３３…突片、３４…照明具、３５…アンテナ、３６…電源装置、４１、４１Ｂ…装置本体基板、４２…被係合部分、４３…通信手段、４４…振動手段。
【図１】
0005563809.tif 000002
【図２】
0005563809.tif 000003
【図３】
0005563809.tif 000004
【図４】
0005563809.tif 000005
【図５】
0005563809.tif 000006
【図６】
0005563809.tif 000007
【図７】
0005563809.tif 000008
【図８】
0005563809.tif 000009
【図９】
0005563809.tif 000010
【図１０】
0005563809.tif 000011
【図１１】
0005563809.tif 000012
【図１２】
0005563809.tif 000013
【図１３】
0005563809.tif 000014
【図１４】
0005563809.tif 000015
【図１５】
0005563809.tif 000016